(57)【要約】　　　（修正有）【課題】各種寸法の異なるパンフレット、ポスター又はチラシ等を簡単に着脱可能な宣伝用媒体物設置台を提供する。【解決手段】支柱の第１及び第２面体１４，１６上に宣伝用媒体物設置部材２０，２１を複数段に配設する。これら媒体物設置部材は各段毎に又は同段において寸法長さの同じ又は異なる複数の媒体物設置枠体２４を備える。また、媒体物設置部材２６は、第２面体の形状とほぼ同じ形状及びほぼ同じ大きさを備える。【選択図】　　　図１
0003096942.tif 000002
【実用新案登録請求の範囲】
【請求項１】
第１及び第２面体を有し、かつ上部に内部空間の枠体を有する支柱と、該第１及び第２面体上に複数段に配設された宣伝用媒体物設置部材と、該第１及び第２面体上の媒体物設置部材に取り付けられ、かつその前面を透明部材で構成してなる各段毎に又は同段において寸法長さの同じ又は異なる複数の媒体物設置枠体を備え、前記支柱を固定するための固定台とを備える媒体物設置台。
【請求項２】
第１及び第２面体を有し、かつ上部に内部空間の枠体を有する支柱と、該第１面体上に複数段に配設され、かつ前記第２面体の形状とほぼ同じ形状及びほぼ同じ大きさを有する宣伝用媒体物設置部材と、該第１面体上の媒体物設置部材に取り付けられ、かつその前面を透明部材で構成してなる、各段毎に又は同段において寸法長さの同じ又は異なる複数の媒体物設置枠体を備え、前記支柱を固定するための固定台とを備える宣伝用媒体物設置台。
【考案の詳細な説明】
【０００１】
【考案の属する技術分野】
本考案は、パンフレット、ポスター又はチラシ等の宣伝用媒体物を展示するための宣伝用媒体物設置台に関する。
【０００２】
【従来の技術】
従来のパンフレット、ポスター又はチラシ等の宣伝用媒体物設置台は、パンフレット、ポスター又はチラシ等の寸法が異なったりすると載置の際に手間取り、また顧客への展示の仕方に多様性がない等の欠点があった。
【０００３】
【考案が解決しようとする課題】
本考案は従来の欠点を鑑みてなされたもので、本考案の目的は、各種寸法の異なるパンフレット、ポスター又はチラシ等を簡単に着脱可能に宣伝用媒体物設置台に展示でき、また裏面をポスター掲示板として利用でき、かくしてパンフレット、ポスター又はチラシ等の見せ方を色々変えて選ぶことができる宣伝用媒体物設置台を提供することにある。
【０００４】
【課題を解決するための手段】
上記課題を解決するため、本願考案は、第１及び第２面体を有し、かつ上部に内部空間の枠体を有する支柱と、該第１及び第２面体上に複数段に配設された宣伝用媒体物設置部材と、該第１及び第２面体上の媒体物設置部材に取り付けられ、かつその前面を透明部材で構成してなる各段毎に又は同段において寸法長さの同じ又は異なる複数の媒体物設置枠体を備え、前記支柱を固定するための固定台とを備える媒体物設置台である。
【０００５】
本願考案は、第１及び第２面体を有し、かつ上部に内部空間の枠体を有する支柱と、該第１面体上に複数段に配設され、かつ前記第２面体の形状とほぼ同じ形状及びほぼ同じ大きさを有する宣伝用媒体物設置部材と、該第１面体上の媒体物設置部材に取り付けられ、かつその前面を透明部材で構成してなる、各段毎に又は同段において寸法長さの同じ又は異なる複数の媒体物設置枠体を備え、前記支柱を固定するための固定台とを備える宣伝用媒体物設置台である。
【０００６】
【考案の実施の形態】
以下、本考案の実施の形態を図面を用いて説明する。
図１及び図２は、第１の実施例の宣伝用媒体物設置台を示す断面図及び右側面図である。宣伝用媒体物は、パンフレット、ポスター又はチラシ等である。該図１及び図２において、符号１０は、宣伝用媒体物設置台を示す。宣伝用媒体物設置台１０は、中心に長手方向に延出するプラスチック製の支柱１２を配設する。支柱１２は、長方形状又は正方形状の第１及び第２面体１４，１６を備え、かつその下部でプラスチック製の直方体からなる固定台１５で倒れないように安定して固定されている。また、支柱１２の上部は、コ字状の内部空間の枠体１８を備える。
【０００７】
支柱１２は、その第１及び第２面体１４，１６上に複数段に配設された第１及び第２宣伝用媒体物設置部材２０，２１を備える。各設置部材２０，２１は、支柱１２にネジ等２２で固定されている。第１及び第２宣伝用媒体物設置部材２０は、第１及び第２面体に取り付けられ、かつその前面を透明部材で構成してなる各段毎に又は同段において寸法長さの同じ又は異なる複数の媒体物設置枠体２４を備える。
【０００８】
図３及び図４は、第２の実施例の宣伝用媒体物設置台を示す断面図及び左側正面図である。宣伝用媒体物は、パンフレット、ポスター又はチラシ等である。該図３及び図４において、符号１０は、宣伝用媒体物設置台を示す。宣伝用媒体物設置台１０は、中心に長手方向に延出するプラスチック製の支柱１２を配設する。支柱１２は、長方形状又は正方形状の第１及び第２面体１４，１６を備え、かつその下部でプラスチック製の直方体からなる固定台１５で倒れないように安定して固定されている。また、支柱１２の上部は、コ字状の内部空間の枠体１８を備える。
【０００９】
支柱１２は、その第１面体１４上に複数段に配設された第１宣伝用媒体物設置部材２０を備える。支柱１２の第２面体１６は、支柱１２の第２面体１６の形状とほぼ同じ形状及びほぼ同じ大きさを有する１枚の第２宣伝用媒体物設置部材２６を備える（図４参照）。支柱１２の第１及び第２面体１４、１６に設けられている第１及び第３宣伝用媒体物設置部材２０、２６は、支柱１２にネジ等２２で固定されている。第１宣伝用媒体物設置部材２０は、その前面を透明部材で構成してなり、かつ各段毎に又は同段において寸法長さの同じ又は異なる複数の媒体物設置枠体２４を備える。
【００１０】
図５は、上述した実施例１及び２の宣伝用媒体物設置台にパンフレット、ポスター又はチラシ等を各種見方で展示する設置例を示す概略図である。該図の（ａ）は、宣伝用媒体物設置部材を複数段の各段毎に設置する例を示す。（ｂ）は、各段毎に設置される宣伝用媒体物設置部材に寸法長さの異なる媒体物設置枠体を設けることにより寸法の異なるパンフレットを設置することができる。（ｃ）は、ウインドサイトにポスター等を設置することにより店外からでもポスターを見ることができる。（ｄ）は、前面にパンフレットやチラシを設け、裏面にポスターを貼って掲示板に変更することができる。（ｅ）は、裏面を汎用ポスターの掲示板として使用できる。
【００１１】
【考案の効果】
このように、本考案によれば、各種寸法の異なるパンフレット、ポスター又はチラシ等を簡単に着脱可能に宣伝用媒体物設置台に展示でき、また裏面をポスター掲示板として利用でき、かくしてパンフレット、ポスター又はチラシ等の見せ方を色々変えて選ぶことができる。
【図面の簡単な説明】
【図１】図１は、第１の実施例の宣伝用媒体物設置台を示す断面図である。
【図２】図２は、第１の実施例の宣伝用媒体物設置台を示す右側面図である。
【図３】図３は、第２の実施例の宣伝用媒体物設置台を示す断面図である。
【図４】図４は、第３の実施例の宣伝用媒体物設置台を示す左側面図である。
【図５】図５は、上述した実施例１及び２の宣伝用媒体物設置台にパンフレット、ポスター又はチラシ等を各種見方で展示する設置例を示す概略図である。
【符号の説明】
１０；宣伝用媒体物設置台
１２；支柱
１４、１６；第１及び第２面体
１５；固定台
１８；枠体
２０、２１；第１及び第２宣伝用媒体物設置部材
２２；ネジ
２４；媒体物設置枠体
２６；第３宣伝用媒体物設置部材
【図１】
0003096942.tif 000003
【図２】
0003096942.tif 000004
【図３】
0003096942.tif 000005
【図４】
0003096942.tif 000006
【図５】
0003096942.tif 000007